(57)【要約】      （修正有）【課題】立体額縁の表面板に、人感センサーを設け、立体額縁の受け箱の内面壁の所望の位置に、着脱自在に装着できるようにしたＬＥＤランプを装着せしめ、電池の消耗が少なく移動が容易な、人感センサー付き立体額縁を提供する。【解決手段】立体額縁の表面板２に、人感センサー１２を設け、立体額縁の受け箱１の内面壁５の所望の位置に、着脱自在に装着できるようにした吸盤付きＬＥＤランプ９を装着し、中敷き板６の下に電源ボツクスを備え、立体額縁の側面３にスイッチ１４を設け、それらをリード線で連結した構造からなる人感センサー付き立体額縁である。【選択図】図１
0003235504.tif 000002
【実用新案登録請求の範囲】
【請求項１】
立体額縁の表面板に、人感センサーを設け、立体額縁の受け箱の内面壁の所望の位置に、着脱自在に装着できるようにした吸盤付きＬＥＤランプを装着せしめた人感センサー付き立体額縁。
【請求項２】
請求項１記載の人感センサー付き立体額縁において、立体額縁の受け箱を磁性板で成型し、吸盤付きＬＥＤランプに代えて、薄板磁石付きＬＥＤランプを装着した人感センサー付き立体額縁。
【請求項３】
請求項１記載の人感センサー付き立体額縁において、立体額縁の受け箱の内面壁に粘着式面ファスナーを貼着し、吸盤付きＬＥＤランプに代えて、粘着式面ファスナー付きＬＥＤランプを装着した人感センサー付き立体額縁。
【考案の詳細な説明】
【技術分野】
【０００１】  本考案は、立体額縁の表面板に、人感センサーを設け、立体額縁の受け箱の内面壁の所望の位置に、着脱自在に装着できるようにしたＬＥＤランプを装着せしめた人感センサー付き立体額縁に関するものである。
【背景技術】
【０００２】  従来、立体押し花等の展示物を、立体額縁に納額すると、見栄えが一層悪くなり、あまり一般受けはしなかった。しかし、立体額縁内部を照明し、明るくするパネル照明の方法はあった。（特許文献１参照）（特許文献２参照）。また、立体額縁本体の全面板と展示用立体物との両者に、互いに係着するそれぞれ所定の大きさの面ファスナーを貼着したことを特徴とする立体額縁があった（特許文献３参照）。
【先行技術文献】
【特許文献】
【０００３】
【特許文献１】特開昭５１−１２６７９５
【特許文献２】特開２０１３−０８０６８４
【特許文献３】実全昭６３−１７８５５４
【考案の概要】
【考案が解決しようとする課題】
【０００４】  そのために次のような問題点があった。
（イ）照明灯具が固定装着されているので、所望する最適な灯光を得るのが大変難しく、  装着位置の中途位置変更はできなかった。
（ロ）電源が外部電源の場合は、外部からの配線が必要であり、また電池等での内部電源  の場合は、電池交換や充電はかなり面倒であった。
本考案は、これらの問題点を解決するためになされたものである。
【課題を解決するための手段】
【０００５】  立体額縁の表面板に、人感センサーを設け、立体額縁の受け箱の内面壁の所望の位置に、着脱自在に装着できるようにした吸盤付きＬＥＤランプを装着し、中敷き板の下に電源ボツクスを備え、立体額縁の側面にスイッチを設け、それらをリード線で連結した構造からなる人感センサーンサー付き立体額縁である。
【考案の効果】
【０００６】  人感センサーを設けることにより、電池の消耗が著しく減少し、ドツキリ効果も得られる。立体額縁の受け箱の内面壁の所望の位置に、着脱自在に装着できるようにした吸盤付きＬＥＤランプを装着したので、最適な灯光を得られて、展示物は鮮明に映える。
立体額縁の表面板と立体額縁の受け箱は、周設した粘着式面ファスナーで接合するので、容易に開閉でき、展示物の交換や位置変更が簡単にでき、また、立体額縁の表面板の窓面を中空にしておけば、さらに便利である。また、立体額縁の受け箱と、市販の額縁とを粘着式面ファスナーで相互に係着すれば、より嗜好的な立体額縁をつくることもできる。
【図面の簡単な説明】
【０００７】
【図１】本考案の斜視図である。
【図２】本考案の分解斜視図である。
【図３】本考案の実施例１の吸盤付きＬＥＤランプを所望の位置に、着脱自在になるように装着し、立体押し花を展示した状態の人感センサー付き立体額縁の斜視図である。
【図４】本考案の実施例２の立体額縁の受け箱を磁性板で成型し、薄板磁石付きＬＥＥＤランプを所望の位置に、着脱自在になるように装着し、多肉植物を育成展示した状態の人感センサー付き立体額縁の斜視図である。
【図５】本考案の実施例３の立体額縁の受け箱の内面壁に粘着式面ファスナーを貼着し、粘着式面ファスナー付きＬＥＤランプを所望の位置に、着脱自在になるように装着し、仏壇に仕立てた状態の人感センサー付き立体額縁の斜視図である。
【考案を実施するための形態】
【０００８】  以下、本考案の実施の形態について説明する。
（イ）立体額縁の受け箱（１）のふち面（４）に粘着式面ファスナーのループ面（７）を      貼着し、側面（３）にスイッチ（１４）を付設する。
（ロ）中央に窓を有する立体額縁の表面板（２）に人感センサー（１２）、その裏面に、      粘着式面ファスナーのフック面（８）を貼着する。
（ハ）立体額縁の受け箱（１）内面壁の所望の位置に、着脱自在に装着できる吸盤付きＬ      ＥＤランプ（９）を装着し、中敷き板（６）の下に電源ボツクス（１３）を備え、      ハーネス（１５）で連結する。
（ニ）立体額縁の受け箱（１）の粘着式面ファスナーのループ面（７）と立体額縁の表面      板（２）の粘着式面ファスナーのフック面（８）とを接合する。
本考案は以上のような構成である。
本考案を使用するときは、立体額縁の表面板に設けた人感センサーにより、電池の消耗が著しく減少し、ドツキリ効果も得られる。ＬＥＤランプは、所望の位置に、着脱自在に装着できるので、最適な灯光を得られて展示物は鮮明に映える。
立体額縁の表面板と立体額縁の受け箱は、周設した粘着式面ファスナーで接合するので、容易に開閉でき、展示物の交換や位置変更が簡単にでき、また、立体額縁の表面板の窓面を中空にしておけば、さらに便利である。立体額縁の受け箱と、市販の額縁とを粘着ファスナーで相互に係着することができ、より嗜好的な立体額縁をつくることもできる。
図３は、吸盤付きＬＥＤランプを所望の位置に装着し、立体押し花を展示した状態の実施形態（実施例１参照）である。
図４は、立体額縁の受け箱を磁性板で成型し、薄板磁石付きＬＥＤランプを所望の位置に装着し、多肉植物を育成展示した状態の実施形態（実施例２）である。
図５は、立体額縁の受け箱の内壁面に粘着式面ファスナーを貼着し、粘着式面ファスナー付きＬＥＤランプを所望の位置に装着し、仏壇に仕立てた状態の実施形態（実施例３参照）である。
【実施例１】
【０００９】  図３は、本考案の実施例１を示すもので、吸盤付きＬＥＤランプを所望の位置に装着し、立体押し花を展示した状態の人感センサー付き立体額縁の斜視図である。
【実施例２】
【００１０】  図４は、本考案の実施例２を示すもので、立体額縁の受け箱を磁性板で成型し、薄板磁石付きＬＥＤランプを所望の位置に装着し、多肉植物を育成展示した状態の人感センサー付き立体額縁の斜視図である。なお、立体額縁の表面板の窓面を中空にしておけば、多肉植物への給水等は自在である。
【実施例３】
【００１１】  図５は、本考案の実施例３を示すもので、立体額縁の受け箱の内面壁に粘着式面ファスナーを貼着し、粘着式面ファスナー付きＬＥＤランプを所望の位置に装着し、仏壇に仕立てた状態の人感センサー付き立体額縁の斜視図である。
なお、立体額縁の表面板の窓面を中空にしておけば、お供え物等の交換は自在である。
【符号の説明】
【００１２】  １  立体額縁の受け箱
２  立体額縁の表面板
３  側面
４  ふち面
５  内面壁
６  中敷き板
７  粘着式面ファスナーのループ面
８  粘着式面ファスナーのフック面
９  吸盤付きＬＥＤランプ
１０  薄板磁石付きＬＥＤランプ
１１  粘着式面ファスナー付きＬＥＤランプ
１２  人感センサー
１３  電源ボツクス
１４  スイッチ
１５  ハーネス
１６  磁性板
１７  立体押し花
１８  多肉植物
１９  仏具
【図１】
0003235504.tif 000003
【図２】
0003235504.tif 000004
【図３】
0003235504.tif 000005
【図４】
0003235504.tif 000006
【図５】
0003235504.tif 000007